(57)【特許請求の範囲】
【請求項１】
複数の車両を駐車可能とする駐車場に適用される駐車場管理システムであって、
駐車車両の車両サイズを含む車両種別情報と、駐車車両のドライバに関するドライバ情報と、を含む車両側情報を今回の駐車車両側から取得する第１取得手段と、
車両の駐車時において既に駐車されている駐車済み車両の駐車位置情報と、駐車済み及び駐車予定の他車両についての当該駐車場への出入りスケジュール情報と、を含む駐車場側情報を駐車場側から取得する第２取得手段と、
車両の駐車に際し、今回の駐車車両について前記第１取得手段により取得した車両側情報、及び前記第２取得手段により取得した都度の駐車場側情報を利用し、既に駐車されている駐車済み車両及び今後駐車予定の駐車予定車両の少なくとも一方との相互関係に基づいて、前記駐車車両の目標駐車エリアを設定するエリア設定手段と、
駐車場の床部に配置され、車両駐車位置を可変表示できる位置表示手段と、
前記位置表示手段の表示状態を制御することにより、前記エリア設定手段により設定した目標駐車エリアを車両側に教示する教示手段と、
を備え、
前記位置表示手段は、直線状に形成された複数のライン表示部であり、各ライン表示部は車両進退方向に延びるようにして配置されており、前記教示手段によって前記各ライン表示部が点灯状態又は消灯状態に移行されることで前記目標駐車エリアが表示されることを特徴とする駐車場管理システム。
【請求項２】
前記各ライン表示部は、互いに平行となるように一定の間隔で横並びに配置されていることを特徴とする請求項１に記載の駐車場管理システム。
【請求項３】
複数の車両を駐車可能とする駐車場に適用される駐車場管理システムであって、
駐車車両の車両サイズを含む車両種別情報と、駐車車両のドライバに関するドライバ情報と、を含む車両側情報を今回の駐車車両側から取得する第１取得手段と、
車両の駐車時において既に駐車されている駐車済み車両の駐車位置情報と、駐車済み及び駐車予定の他車両についての当該駐車場への出入りスケジュール情報と、を含む駐車場側情報を駐車場側から取得する第２取得手段と、
車両の駐車に際し、今回の駐車車両について前記第１取得手段により取得した車両側情報、及び前記第２取得手段により取得した都度の駐車場側情報を利用し、既に駐車されている駐車済み車両及び今後駐車予定の駐車予定車両の少なくとも一方との相互関係に基づいて、前記駐車車両の目標駐車エリアを設定するエリア設定手段と、
駐車場の床部に配置され、車両駐車位置を可変表示できる位置表示手段と、
前記位置表示手段の表示状態を制御することにより、前記エリア設定手段により設定した目標駐車エリアを車両側に教示する教示手段と、
を備え、
前記位置表示手段は、直線状に形成された複数のライン表示部であり、各ライン表示部は車両進退方向と交差する方向に延びるようにして配置されており、前記教示手段によって前記各ライン表示部が点灯状態又は消灯状態に移行されることで前記目標駐車エリアが表示されることを特徴とする駐車場管理システム。
【請求項４】
前記各ライン表示部は、発光手段と、当該発光手段の発光を上方から視認可能となる透明性を有するカバーと、を備え、前記カバー上面は前記床部の床面に対し段差の生じない高さに設置されていることを特徴とする請求項１乃至３のいずれか１項に記載の駐車場管理システム。
【請求項５】
前記第１取得手段は、前記車両側情報として、あらかじめ登録された登録車両であることを示す登録情報を取得し、
駐車場への車両の進入を規制する規制状態、及び該進入を規制しない非規制状態のいずれかに移行可能な進入規制手段と、
車両の駐車に際し、前記登録情報に基づいて登録車両か否かを判定する判定手段と、
前記判定手段により今回の駐車車両が登録車両であると判定された場合に前記進入規制手段を非規制状態に移行させる制御手段と
を備えることを特徴とする請求項１乃至４のいずれか１項に記載の駐車場管理システム。
【請求項６】
駐車場内での車両の移動を規制する規制状態、及び該移動を規制しない非規制状態のいずれかに移行可能な移動規制手段と、
前記第１取得手段により取得した車両側情報に基づいて、前記駐車場内での車両の移動を規制すべく前記移動規制手段を規制状態に移行させる制御手段と
を備えることを特徴とする請求項１乃至５のいずれか１項に記載の駐車場管理システム。
【請求項７】
車両の駐車に際し、前記第１取得手段により取得した車両側情報に基づいて、当該駐車車両の駐車料金を設定する料金設定手段を備えることを特徴とする請求項１乃至６のいずれか１項に記載の駐車場管理システム。
【請求項８】
駐車場の特定位置に、車両に対して接続可能とされ、当該車両との間で送電又は受電を行う電力装置を設け、
前記エリア設定手段は、前記第１取得手段により取得した車両側情報から、今回の駐車車両が前記電力装置との接続が可能な車両であると判定した場合に、前記電力装置との接続が可能となる位置に前記目標駐車エリアを設定することを特徴とする請求項１乃至７のいずれか１項に記載の駐車場管理システム。
【請求項９】
車両に搭載されるＥＴＣ車載機との間で無線通信を可能とする通信手段を備え、
前記第１取得手段は、前記車両側情報として、ＥＴＣ車載機に記憶されているＥＴＣ情報を前記通信手段を介して取得し、
前記エリア設定手段は、前記ＥＴＣ情報に基づいて前記目標駐車エリアを設定することを特徴とする請求項１乃至８のいずれか１項に記載の駐車場管理システム。
【発明の詳細な説明】
【技術分野】
【０００１】
本発明は、駐車場管理システムに関するものである。
【背景技術】
【０００２】
車庫等の駐車場では、駐車される車両を管理するために駐車場管理システムが適用されることがある。駐車場管理システムとして、車両が具備するＥＴＣ（Electronic Toll Collection）機能や、携帯電話等の無線通信機能を利用して車両の駐車場管理が行われるものがある。例えば、特許文献１では、駐車場側には管理装置が設けられており、管理装置では、車両のＥＴＣ車載端末から取得した車両情報や車両の入出庫時間に基づいて、駐車料金を算出するなどの駐車場管理が行われる。
【特許文献１】特開２００６−７２７２８号公報
【発明の開示】
【発明が解決しようとする課題】
【０００３】
しかしながら、上記従来技術では、車両の入出庫時間の管理や駐車車両台数の管理などが行われるものの、駐車場内スペースの管理はなされていない。そのため、駐車場内にスペース不足の場所ができたり、スペース余剰の場所ができたりする。それゆえに、改善の余地があると考えられる。例えば、実際に車両が駐車された後において、ユーザの乗降に必要なスペースが小さく乗降に不便であったり、駐車場内に不要な余剰スペース（デッドスペース）ができてしまったりすることが考えられる。
【０００４】
本発明は、上記事情に鑑みなされたものであり、適切な位置への車両の駐車を可能とし、ひいてはユーザにとっての利便性を向上させることができる駐車場管理システムを提供することを目的とするものである。
【課題を解決するための手段】
【０００５】
以下、上記課題を解決するのに有効な手段等につき、必要に応じて作用、効果等を示しつつ説明する。
【０００６】
手段１．車両側から車両側情報を取得する第１取得手段と、
駐車場側から駐車場側情報を取得する第２取得手段と、
車両の駐車に際し、今回の駐車車両について前記第１取得手段により取得した車両側情報、及び前記第２取得手段により取得した都度の駐車場側情報の少なくとも一方に基づいて、前記駐車車両の目標駐車エリアを設定するエリア設定手段と、
前記エリア設定手段により設定した目標駐車エリアを車両側に教示する教示手段と、
を備えることを特徴とする駐車場管理システム。
【０００７】
手段１によれば、都度の駐車車両に関する車両側情報、及び車両駐車時（駐車場への車両進入時）に得られる駐車場側情報の少なくとも一方に基づいて、今回の駐車車両の目標駐車エリアが設定される。そして、その目標駐車エリアが車両側に対して、すなわち車両のドライバや同車両の運転制御システム等に対して教示される。このため、駐車車両を、その車両にとって適した位置であり且つ駐車場にとって適した位置に駐車させることが可能となる。また、車両が駐車される都度、エリア設定手段により目標駐車エリアが設定されるため、その都度の駐車場側の状況や車両の大きさ等に適した目標駐車エリアを設定することが可能となる。この場合、常に一定の位置に目標駐車エリアが設定される構成とは異なり、車両周辺には適切な大きさのスペースが確保されることになるため、ユーザの乗降を容易なものとしつつ駐車場内でのデッドスペースの大きさが低減されることになり、駐車場内スペースを有効に活用することができる。故に、駐車場における適切な位置への車両の駐車を可能とし、ひいては、ユーザにとっての利便性を向上させることができる。
【０００８】
手段２．複数の車両を駐車可能とする駐車場に適用される駐車場管理システムであって、
前記エリア設定手段は、今回の駐車車両の目標駐車エリアを、既に駐車されている駐車済み車両及び今後駐車予定の駐車予定車両の少なくとも一方との相互関係に基づいて設定することを特徴とする手段１に記載の駐車場管理システム。
【０００９】
複数の車両を駐車させる駐車場では、車両の大きさ等がまちまちであり、車両出入り（進入又は退出）の時間もまちまちであることが考えられる。かかる場合、手段２のように、駐車済み車両及び駐車予定車両の少なくとも一方との相互関係に基づいて、今回の駐車車両の目標駐車エリアが設定されるとよい。これにより、車両の大きさや車両出入り時間等がまちまちであっても、適切な位置に車両を駐車させることができる。つまり、今回の駐車車両の目標駐車エリアは他車両に対して相対的に設定されることになり、今回の駐車車両と他車両との間で互いの車両が障害となること等を抑制できる。
【００１０】
手段３．前記第２取得手段は、前記駐車場側情報として、車両の駐車時において、既に駐車されている駐車済み車両の駐車位置を取得することを特徴とする手段１又は２に記載の駐車場管理システム。
【００１１】
手段３によれば、都度の駐車車両の目標駐車エリアが、駐車場側情報としての駐車済み車両の駐車位置を基準として設定されることになる。この場合、今回の駐車車両と駐車済み車両との相対的な位置関係を適正化できる。例えば、車両間の間隔を一定間隔として各車両を駐車させる場合において、駐車済み車両に近すぎたり離れすぎたりすることなくその駐車済み車両との間に適度な間隔を確保して車両を駐車させることが可能となる。
【００１２】
手段４．前記第２取得手段は、前記駐車場側情報として、駐車済み及び駐車予定の他車両についての当該駐車場への出入りスケジュール情報を取得することを特徴とする手段１乃至３のいずれか１項に記載の駐車場管理システム。
【００１３】
手段４によれば、都度の駐車車両の目標駐車エリアが、駐車場側情報としての他車両の出入りスケジュール情報に基づいて設定されることになる。この場合、他車両の出入りに際して支障となる位置への車両の駐車を回避することが可能となる。したがって、複数の車両が駐車されている場合でも、車両を入れ替えるといった手間をかけることなく各車両を出入りさせることが可能となり、ユーザにとっての利便性を向上させることができる。
【００１４】
手段５．前記第１取得手段は、前記車両側情報として、今回の駐車車両から少なくとも車両サイズを含む車両種別情報を取得することを特徴とする手段１乃至４のいずれか１項に記載の駐車場管理システム。
【００１５】
手段５によれば、都度の駐車車両の目標駐車エリアが、車両側情報としての車両種別情報に基づいて設定されることになる。この場合、都度の駐車車両の大きさや用途に見合う位置に車両が駐車されることになる。例えば、車幅の大小や、当該車両が福祉車両であることなどが考慮されるとよい。したがって、駐車が容易になるとともに、ユーザの乗降や物品の出し入れ等を容易に行うことが可能になり、ユーザにとっての利便性を向上させることができる。
【００１６】
手段６．前記第１取得手段は、前記車両側情報として、今回の駐車車両のドライバに関するドライバ情報を取得することを特徴とする手段１乃至５のいずれか１項に記載の駐車場管理システム。
【００１７】
手段６によれば、都度の駐車車両の目標駐車エリアが、車両側情報としてのドライバ情報に基づいて設定されることになる。この場合、目標駐車エリアを、ドライバの運転熟練度や年齢に応じて設定することが可能となる。したがって、運転初心者や高齢者にとっての駐車操作の負担を軽減させることが可能となり、ユーザにとっての利便性を向上させることができる。
【００１８】
手段７．前記第１取得手段は、前記車両側情報として、あらかじめ登録された登録車両であることを示す登録情報を取得し、
駐車場への車両の進入を規制する規制状態、及び該進入を規制しない非規制状態のいずれかに移行可能な進入規制手段と、
車両の駐車に際し、前記登録情報に基づいて登録車両か否かを判定する判定手段と、
前記判定手段により今回の駐車車両が登録車両であると判定された場合に前記進入規制手段を非規制状態に移行させる制御手段と
を備えることを特徴とする手段１乃至６のいずれか１項に規制の駐車場管理システム。
【００１９】
手段７によれば、都度の駐車車両が登録車両である場合に進入規制手段が非規制状態に移行されるため、事前に登録されている車両だけを駐車させることが可能となる。換言すれば、非登録車両が勝手に駐車場内に駐車されることが抑制される。この場合、駐車場内スペースが非登録車両に使われることなく、登録車両を適切な位置に駐車させることができる。
【００２０】
手段８．駐車場内での車両の移動を規制する規制状態、及び該移動を規制しない非規制状態のいずれかに移行可能な移動規制手段と、
前記第１取得手段により取得した車両側情報に基づいて、前記駐車場内での車両の移動を規制すべく前記移動規制手段を規制状態に移行させる制御手段と
を備えることを特徴とする手段１乃至７のいずれか１項に記載の駐車場管理システム。
【００２１】
手段８によれば、駐車場内での駐車完了後において移動規制手段が規制状態に移行されるため、車両の意図しない移動（駐車場の出入り）を規制することができる。したがって、車両の防犯効果などを期待することができる。
【００２２】
手段９．車両の駐車に際し、前記第１取得手段により取得した車両側情報に基づいて、当該駐車車両の駐車料金を設定する料金設定手段を備えることを特徴とする手段１乃至８のいずれか１項に記載の駐車場管理システム。
【００２３】
手段９によれば、車両の駐車時には、車両側情報の取得によって当該車両の駐車料金の設定が行われる。したがって、駐車場が有料駐車場として使用される場合に、駐車料金に関する管理を容易に行うことが可能となる。また、本発明では、上記のとおり駐車場内スペースを有効に活用することができるため、有料駐車場を効率良く運用することが可能となる。
【００２４】
手段１０．駐車場の床部に、車両駐車位置を可変表示できる位置表示手段を設け、
前記教示手段は、前記目標駐車エリアに応じて前記位置表示手段による表示位置を変更することで、前記目標駐車エリアを車両側に教示することを特徴とする手段１乃至９のいずれか１項に記載の駐車場管理システム。
【００２５】
手段１０によれば、目標駐車エリアが都度異なる位置に設定されても、その目標駐車エリアが位置表示手段により明確に教示できる。したがって、ユーザは目標駐車エリアに容易に車両を駐車させることできる。例えば、位置表示手段として、発光、変色、画像表示、出没等による表示を行うものが採用されるとよい。
【００２６】
手段１１．駐車場の特定位置に、車両に対して接続可能とされ、当該車両との間で送電又は受電を行う電力装置を設け、
前記エリア設定手段は、前記第１取得手段により取得した車両側情報から、今回の駐車車両が前記電力装置との接続が可能な車両であると判定した場合に、前記電力装置との接続が可能となる位置に前記目標駐車エリアを設定することを特徴とする手段１乃至１０のいずれか１項に記載の駐車場管理システム。
【００２７】
手段１１によれば、例えばハイブリッド自動車や電気自動車等を、電力装置との接続が可能な特定位置に駐車させることができる。これにより、ハイブリッド自動車や電気自動車に対する充電等を確実に行わせることが可能となる。
【００２８】
手段１２．車両に搭載されるＥＴＣ車載機との間で無線通信を可能とする通信手段を備え、
前記第１取得手段は、前記車両側情報として、ＥＴＣ車載機に記憶されているＥＴＣ情報を前記通信手段を介して取得することを特徴とする手段１乃至１１のいずれか１項に記載の駐車場管理システム。
【００２９】
手段１２によれば、都度の駐車車両の目標駐車エリアが、ＥＴＣ車載機に記憶されているＥＴＣ情報に基づいて設定されることになる。この場合、ノンストップ自動料金収受システム等に使用されるＥＴＣ車載機には、車両情報、ユーザ情報などが記憶されており、これらの情報を車両側情報として利用する。これにより、ＥＴＣ情報の多岐の活用を図ることができる。
【発明を実施するための最良の形態】
【００３０】
以下、本発明を具体化した一実施形態を図面に基づいて説明する。本実施形態では、一階部分にガレージ（車庫）が一体に設けられたガレージ付き建物（車庫付き建物）について具体化しており、そのガレージについての詳細を以下に説明する。
図１は、建物の一階部分における構成の一部を示す平面図である。
【００３１】
図１に示すように、戸建住宅や集合住宅等の建物１０には、地上１階に駐車場としてのガレージ１５が設けられている。ガレージ１５は、平面視矩形状のガレージ内スペースを有しており、ガレージ内スペースはガレージ壁面２１により囲まれて形成されている。ガレージ１５の一側面にはガレージ開口部２２が形成されており、ガレージ開口部２２を通じてガレージ１５に対する車両２５や人の出入りが可能となっている。なお、ガレージ１５には、ガレージ開口部２２の他に、人が出入りするための出入口が設けられていてもよい。
【００３２】
ガレージ１５は、図の左右方向を車両進退方向として自動車等の車両２５が入庫されるようになっており、複数の車両２５が横並びで駐車可能となる横幅を有している。したがって、ガレージ１５では、ガレージ開口部２２から見て左右（換言すれば、車両進退方向に直交する方向）に並んだ状態で複数の車両２５が駐車されることになる。
【００３３】
ガレージ１５には、ガレージコントローラ３１が設けられている。ガレージコントローラ３１は、例えばガレージ壁面２１に取り付けられており、入庫管理システムの中枢をなしている。ガレージコントローラ３１は、目標駐車エリアの可変設定機能を有しており、その都度のガレージ１５側の状況や今回駐車される車両２５の大きさ等に適した目標駐車エリアを適宜設定する。
【００３４】
ここで、ガレージ１５においては、ガレージ内スペースに車両２５が駐車される都度、その駐車される車両２５に対して目標駐車エリアが設定される。目標駐車エリアは、車両２５がその目標駐車エリア内に駐車された場合に、扉の開閉やユーザの乗降が可能なスペースが各駐車車両２５の周囲にそれぞれ確保されるように、且つ各駐車車両２５の距離が小さすぎたり大きすぎたりしないように、ガレージコントローラ３１により設定される。
【００３５】
ガレージ１５には、ガレージ内スペースに既に駐車されている車両２５の有無やその駐車位置を検出する車両検出センサ３２が複数設けられている。車両検出センサ３２は、例えば超音波センサにより構成されており、検出範囲内に存在する車両２５の位置（特に、車幅方向の位置）が検出可能になっている。車両検出センサ３２は、ガレージ１５の奥側におけるガレージ壁面２１に所定間隔をおいて横並びで取り付けられており、例えば駐車される車両２５に対応することが可能な配置となっている。
【００３６】
また、ガレージ１５には、車両２５が駐車される度に目標駐車エリアを表示する表示装置３５が設けられている。表示装置３５はライン表示部３５ａを複数備えており、それらライン表示部３５ａは、互いに平行となるように一定の間隔で横並びに配置されている。ライン表示部３５ａは、直線状に形成されており、車両進退方向に延びるようにしてガレージ床面３６に埋め込まれている。ライン表示部３５ａにはＬＥＤ等の発光手段が設けられており、発光手段が発光することでライン表示部３５ａが点灯するようになっている。そして、それぞれのライン表示部３５ａが点灯状態又は消灯状態に移行されることで、目標駐車エリアが表示されるようになっている。
【００３７】
なお、ライン表示部３５ａの上部は、透明性を有するガラスや合成樹脂等により形成されたカバーにより覆われており、発光手段の発光が上方から視認できるようになっている。また、ライン表示部３５ａの上面とガレージ床面３６とは同等のレベルとなっており、ライン表示部３５ａ上を車両２５が段差なく走行できるようになっている。ここで、ライン表示部３５ａのカバーは、車両２５の重量に耐え得る強度を有しており、その上に車両２５が乗ってもライン表示部３５ａに異常が発生しないようになっている。
【００３８】
次に、入庫管理システムの構成について、図２を参照しつつ説明する。図２は、入庫管理システムの概略を示す全体構成図である。
【００３９】
図２において、ガレージコントローラ３１は、ＣＰＵや各種メモリ等からなるマイクロコンピュータを有しており、ガレージコントローラ３１では、そのマイクロコンピュータにより入庫管理制御が行われる。ガレージコントローラ３１には車両検出センサ３２が接続されており、車両検出センサ３２からガレージコントローラ３１に対して検出信号が出力されることで、ガレージコントローラ３１では、ガレージ内スペースに存在する車両２５の有無やその位置が取得される。すなわち、ガレージ１５側の状況がガレージ側情報（駐車場側情報）として取得される。
【００４０】
ガレージコントローラ３１には、車両２５側との無線通信を可能とするガレージ通信装置３８が接続されており、車両２５側から送信された信号をガレージコントローラ３１にて受信することが可能となっている。
【００４１】
また、ガレージコントローラ３１には、表示装置３５が接続されており、ガレージコントローラ３１から表示装置３５に対して制御信号が出力されることで、表示装置３５の表示制御が行われるようになっている。より詳しくは、ガレージコントローラ３１から表示装置３５に対して表示信号が出力されることで、その表示信号に応じていずれかのライン表示部３５ａが点灯する。また、非表示信号が出力されることでライン表示部３５ａが消灯する。そして、ガレージコントローラ３１により、点灯させるライン表示部３５ａが選択されることで、目標駐車エリアが可変表示されるようになっている。
【００４２】
さらに、ガレージコントローラ３１には、ガレージ開口部２２の開閉が可能なシャッタ装置４１が接続されており、ガレージコントローラ３１からシャッタ装置４１に対して制御信号が出力されることで、ガレージコントローラ３１によりシャッタ装置４１の開閉制御が行われるようになっている。
【００４３】
シャッタ装置４１は、昇降可能なシャッタカーテン４２と、シャッタカーテン４２を収容可能なシャッタケース４３とを有しており、シャッタケース４３はガレージ開口部２２の上方に取り付けられている。シャッタカーテン４２は、巻かれた状態でシャッタケース４３に収容されるようになっており、シャッタカーテン４２が巻き取られることでガレージ開口部２２の開放され、シャッタカーテン４２が繰り出されることでガレージ開口部２２の閉鎖される。そして、シャッタ装置４１は、ガレージコントローラ３１から出力される制御信号に従ってガレージ開口部２２の開閉を行う。
【００４４】
ガレージコントローラ３１には、ユーザにより操作可能な操作装置４５が接続されており、操作装置４５に対して所定操作が行われることでシャッタ装置４１を開閉させることができるようになっている。すなわち、ガレージコントローラ３１による開閉制御とは別に、ユーザの意思によりガレージ開口部２２の開閉を行うことができるようになっている。
【００４５】
ガレージ１５に入庫される車両２５には、車両コントローラとしてＥＣＵ５１が備えられており、ＥＣＵ５１は、ＣＰＵや各種メモリ等からなるマイクロコンピュータを有している。ＥＣＵ５１には、ＥＴＣ車載機５２が接続されており、ＥＴＣ車載機はＥＴＣカードから情報を読み取ることが可能となっている。なお、ＥＴＣ車載機５２は、車両２５が高速道路などの有料道路を走行するに際して料金の精算に使用されるＥＴＣシステムの端末である。ＥＴＣカードには、車両２５のＩＤ情報，大きさ，用途など車両２５に関する情報がＥＴＣ情報として登録されており、そのＥＴＣ情報はＥＣＵ５１に取得されるようになっている。ちなみに、ＥＴＣ情報には、少なくとも車両サイズを含む車両種別情報が含まれており、車両種別情報には、車両サイズの他に用途に関する情報が含まれている。例えば車両２５が福祉車両である場合、この情報は車両種別情報に含まれている。
【００４６】
ＥＴＣ車載機５２は、無線通信機能を有しており、ガレージ１５に設けられたガレージ通信装置３８との無線通信が可能になっている。そして、ＥＴＣ車載機５２からガレージ通信装置３８に対してＥＴＣ情報が送信されることで、そのＥＴＣ情報は車両側情報としてガレージコントローラ３１に取得される。
【００４７】
ここで、ガレージコントローラ３１はＩＤ認証機能を有しており、ガレージ１５に車両２５が入庫される都度、ガレージコントローラ３１では、ＥＴＣ情報に含まれているＩＤ情報に基づいてＩＤ認証処理が行われる。ＩＤ認証処理の結果、その車両２５がガレージコントローラ３１に事前に登録されている登録車両であることが確認された場合、ガレージコントローラ３１によりシャッタ装置４１の開放制御が行われる。この場合、ガレージ開口部２２が開放され、登録車両としての車両２５の入庫が可能となる。一方、ＩＤ認証処理の結果、車両２５が登録車両でないことが確認された場合、シャッタカーテン４２によるガレージ開口部２２の閉鎖状態が保持され、車両２５の入庫が規制される。この場合、ユーザの承認を受けていない非登録車両としての車両２５のガレージ１５への勝手な入庫が抑制される。
【００４８】
車両２５が目標駐車エリアに駐車された場合、エンジン停止等をトリガとして駐車完了を示す信号がＥＴＣ車載機５２からガレージコントローラ３１に対して出力され、その信号に基づいてガレージコントローラ３１では駐車完了の情報が取得される。この場合、ガレージコントローラ３１によりシャッタ装置４１の閉鎖制御が行われ、ガレージ開口部２２が閉鎖されるようになっている。この場合、単に車両２５が目標駐車エリアＳに駐車されることで防犯効果などを期待することができる。なお、車両２５の駐車完了後、ガレージ開口部２２が閉鎖されるまでに所定のタイムラグを設定することで、ユーザがガレージ１５に閉じ込められるといった不都合の発生を抑制することができる。
【００４９】
また、車両２５は、イモビライザシステムを有しており、エンジン始動に際して電子キーと車両２５との間でイモビ認証が行われるようになっている。イモビ認証の結果、正規の手順でのエンジン始動が確認された場合、その旨を示すエンジン始動信号がＥＣＵ５１からガレージコントローラ３１に送信される。この場合、さらに、車両２５が登録車両であることが確認されると、ガレージコントローラ３１によりシャッタ装置４１の開放制御が行われる。これにより、ガレージ開口部２２が開放されて車両２５の出庫が可能となる。一方、ＥＣＵ５１からガレージコントローラ３１にエンジン始動信号が送信されない場合、シャッタカーテン４２によるガレージ開口部２２の閉鎖状態が保持され、車両２５の出庫が規制される。これにより、意図しない車両２５の出庫が制限され、防犯効果などを期待することができる。
【００５０】
次いで、ガレージコントローラ３１が有する目標駐車エリアＳの可変設定機能について、図３、図４を参照しつつ説明する。なお、図３、図４では、目標駐車エリアＳを表示しているライン表示部３５ａだけを図示している。
【００５１】
図３（ａ）に示すように、ガレージ１５において、既に同サイズの２台の車両２５が駐車済み車両２５ａとして横並びで駐車されており、別の車両２５が今回の駐車車両２５ｂとして駐車済み車両２５ａと横並びで駐車される場合、ガレージコントローラ３１は、ガレージ側情報及び車両側情報を取得するとともに、それら情報に基づいて目標駐車エリアＳを設定する。
【００５２】
より詳しくは、ガレージコントローラ３１は、駐車時のガレージ側情報に基づいて駐車済み車両２５ａの駐車位置を取得する。そして、隣接する駐車済み車両２５ａの駐車位置を基準として、その駐車済み車両２５ａとの距離を、今回の駐車車両２５ｂに対する目標駐車エリアＳである離間距離Ｌ１に設定する。離間距離Ｌ１は、駐車済み車両２５ａ及び今回の駐車車両２５ｂに対するユーザの乗降が容易に行われ且つそれら車両２５ａ，２５ｂの間隔が小さすぎたり大きすぎたりしないような大きさになっている。ちなみに、駐車済み車両２５ａが駐車されている領域は、今回の駐車車両２５ｂを駐車させることができない領域となっており、その駐車不可領域の幅はＬ２となっている。また、ガレージコントローラ３１は、今回の駐車車両２５ｂについて車両側情報から車体の大きさを取得し、その車体幅を見合うように目標駐車エリアＳの幅をエリア幅Ｌ３に設定する。エリア幅Ｌ３は、今回の駐車車両２５ｂの駐車が容易となり且つ駐車車両２５ｂに対するユーザの乗降や物品の出し入れ等が容易となるような大きさになっている。
【００５３】
目標駐車エリアＳの大きさ及び位置が設定されると、ガレージコントローラ３１により表示装置３５の表示制御が行われることで、今回の駐車車両２５ｂに対応した目標駐車エリアＳだけが表示される。より詳しくは、ガレージコントローラ３１により、目標駐車エリアＳの境界部又は境界付近に位置する（図３（ａ）における）ライン表示部３５ａが点灯状態とされ、他のライン表示部３５ａが消灯状態とされることで目標駐車エリアＳが表示される。これにより、今回の駐車車両２５ｂの運転者等に対して目標駐車エリアＳが明確に教示され、駐車車両２５ｂを目標駐車エリアＳに駐車させることが可能となる。なお、点灯状態とされたライン表示部３５ａは、駐車完了後に消灯状態に切り替えられる。
【００５４】
一方、図３（ｂ）に示すように、図３（ａ）とは駐車済み車両２５ａのサイズが異なる場合、それら駐車済み車両２５ａの車体幅や駐車位置等が異なることで、駐車不可領域の幅Ｌ２’が幅Ｌ２とは異なっている。この場合、ガレージコントローラ３１は、隣接する駐車済み車両２５ａと目標駐車エリアＳとの距離を離間距離Ｌ１’に設定する。離間距離Ｌ１’は、非駐車幅Ｌ２’にかかわらず、駐車済み車両２５ａ及び今回の駐車車両２５ｂに対するユーザの乗降が容易に行われ且つそれら車両２５ａ，２５ｂの間隔が小さすぎたり大きすぎたりしないような大きさになっている。
【００５５】
また、今回の駐車車両２５ｂのサイズが図３（ａ）とは異なる場合、ガレージコントローラ３１は、目標駐車エリアＳの幅をエリア幅Ｌ３ではなくエリア幅Ｌ３’に設定する。エリア幅Ｌ３’は、今回の駐車車両２５ｂの駐車が容易となり且つ駐車車両２５ｂに対するユーザの乗降や物品の出し入れ等が容易となるような大きさになっている。
【００５６】
さらに、目標駐車エリアＳが図３（ａ）とは異なる位置及び大きさであっても、図３（ｂ）に示すように、ガレージコントローラ３１により表示制御が行われることで目標駐車エリアＳが可変表示される。これにより、上記のように、駐車済み車両２５ａの大きさや駐車位置がまちまちであったり今回の駐車車両２５ｂの大きさ等がまちまちであったりしても、今回の駐車車両２５ｂの運転者等に対して目標駐車エリアＳが明確に教示され、駐車車両２５ｂを目標駐車エリアＳに駐車させることが可能となる。
【００５７】
また、図４（ａ）に示すように、既に駐車されている２台の駐車済み車両２５ａの間に、幅がエリア幅Ｌ４である目標駐車エリアＳを設定することが可能である場合、エリア幅Ｌ４が今回の駐車車両２５ｂの駐車に適した大きさであれば、その駐車車両２５ｂに対して目標駐車エリアＳが設定される。そして、表示装置３５により目標駐車エリアＳが表示されることで、今回の駐車車両２５ｂを２台の駐車済み車両２５ａの間に駐車させることが可能となる。これにより、ガレージ１５におけるスペースを有効に活用することができる。
【００５８】
これに対して、図４（ｂ）に示すように、エリア幅Ｌ４が今回の駐車車両２５ｂの駐車に適した大きさでなければ、目標駐車エリアＳは２台の駐車済み車両２５ａの間には設定されない。例えば、今回の駐車車両２５ｂに適した目標駐車エリアＳの幅がエリア幅Ｌ４より大きいエリア幅Ｌ５である場合、目標駐車エリアＳは、２台の駐車済み車両２５ａの間には設定されず、エリア幅Ｌ５を確保することができる他の場所（例えば、駐車済み車両２５ａを挟んで反対側）に設定される。この場合でも、表示装置３５により目標駐車エリアＳが表示されることで、今回の駐車車両２５ｂを２台の駐車済み車両２５ａの間とは別の場所に駐車させることが可能となる。すなわち、今回の駐車車両２５ｂを適した位置に駐車させることができる。
【００５９】
以上詳述した本実施形態によれば、以下の優れた効果が得られる。
【００６０】
ガレージ１５において、今回駐車される車両２５に対して、その車両２５についての車両側情報と、都度のガレージ側情報に基づいて目標駐車エリアＳの位置及び大きさが設定され、表示装置３５により目標駐車エリアＳが表示される。したがって、目標駐車エリアＳが一定の位置及び大きさとして設定される構成とは異なり、駐車済み車両２５ａの大きさや駐車位置がまちまちであったり今回の駐車車両２５ｂの大きさ等がまちまちであったりしても、駐車済み車両２５ａと今回の駐車車両２５ｂとの相互関係に基づいて、ガレージ内スペースにおける適切な位置に各車両２５を駐車させることができる。これにより、車両２５の周囲に確保されるスペースが小さすぎたり大きすぎたりすることが抑制される。すなわち、ドアの開閉やユーザの乗降が行いにくくなったりガレージ内スペースでの余剰スペースが増加したりするといった不都合の発生を抑制することができる。故に、ユーザの乗降や物品の出し入れを容易なものとしつつ、ガレージ内スペースを有効に活用することができる。故に、ガレージ１５における適切な位置への車両２５の駐車を可能とし、ひいては、ユーザにとっての利便性を向上させることができる。
【００６１】
ガレージ１５に車両２５が入庫される都度、既に駐車されている車両２５の駐車位置を基準として、その駐車済み車両２５ａに対して横並びとなるように目標駐車エリアＳが設定される。このため、駐車済み車両２５ａと今回の駐車車両２５ｂとの相対的な位置関係を適正化することができる。例えば、それら車両２５ａ，２５ｂ間の間隔を所定間隔となるように今回の駐車車両２５ｂと駐車させる場合、その駐車車両２５ｂが駐車済み車両２５ａに対して近すぎたり遠すぎたりすることなく、各車両２５ａ，２５ｂの間に適度なスペースを確保することができる。すなわち、各車両２５ａ，２５ｂの位置に関する相互関係に基づいて目標駐車エリアＳが設定されるため、各車両２５ａ，２５ｂが相互間で入庫やユーザの乗降に支障となることが抑制される。
【００６２】
ガレージコントローラ３１によりシャッタ装置４１の開閉制御が行われる。この場合、今回の駐車車両２５ｂを対象としてＩＤ認証処理が行われることで、ガレージ１５への登録車両の入庫だけを許可するとともに、ガレージ１５への非登録車両の勝手な入庫を規制することができる。したがって、ガレージ内スペースが非登録車両に使用されることなく、登録車両を適切な位置に駐車させることが可能となる。また、ガレージ内スペースに駐車されている車両２５を対象としてイモビ認証が行われることで、車両２５の意図しない移動を規制することができる。すなわち、駐車済み車両２５ａが勝手に出庫されることを規制できる。故に、車両２５の防犯効果などを期待することができるようになる。
【００６３】
ガレージコントローラ３１により表示装置３５の表示制御が行われることで、目標駐車エリアＳが可変表示されるようになっている。このため、目標駐車エリアＳが設定される都度その大きさや位置が異なっていても、その目標駐車エリアＳを表示装置３５により明確に教示することができる。これにより、ユーザは、目標駐車エリアＳに今回の駐車車両２５ｂを容易に駐車させることができる。
【００６４】
ガレージコントローラ３１とＥＴＣ車載機５２との無線通信を可能な構成としたため、ＥＴＣ情報を車両側情報としてガレージコントローラ３１にて取得することが可能となる。これにより、ノンストップ自動料金収受システム等に使用されるＥＴＣ車載機やそれに記憶されているＥＴＣ情報を多岐に亘って活用することができる。また、ガレージコントローラ３１とＥＴＣ車載機５２との通信システムを新たに構築する必要がないため、システム構築に伴うコスト増加を抑制しつつ、入庫管理システムを構築することができる。
【００６５】
（他の実施形態）
本発明は上記実施形態の記載内容に限定されず、例えば次のように実施してもよい。
【００６６】
・ガレージ１５に対する車両２５の入出庫順序に関する情報がガレージ側情報としてガレージコントローラ３１に取得され、その入出庫順序に基づいて目標駐車エリアＳが設定される構成としてもよい。例えば、ガレージコントローラ３１を、各車両２５がガレージ１５に対して出入りするスケジュールやユーザのスケジュール等の情報が記憶され、その情報に基づいて車両２５の入出庫順序に関する情報が取得される構成とする。この場合、図５に示すように、ガレージ１５が、複数の車両２５が縦並びに駐車されるガレージ内スペースを有していても、各車両２５を、それぞれの入出庫順序を考慮して適切な位置に駐車させることが可能となる。
【００６７】
例えば、目標駐車エリアＳとして、第１目標駐車エリアＳ１と、第１目標駐車エリアＳ１の横並び位置となる第２目標駐車エリアＳ２と、第１目標駐車エリアＳ１の奥方に縦並びとなる第３目標駐車エリアＳ３とが設定されており、駐車済み車両２５ａが第１目標駐車エリアＳ１及び第３目標駐車エリアＳ３に駐車されている場合、今回の駐車車両２５ｂが第２目標駐車エリアＳ２に駐車されると、第２目標駐車エリアＳ２から車両２５が出庫されない限り第３目標駐車エリアＳ３の駐車車両２５を出庫させることができない。この場合、第３目標駐車エリアＳ３の駐車車両２５を出庫させるには、前後の車両２５を入れ替えるといった手間がかかることになる。
【００６８】
これに対して、車両２５の入出庫順序に基づいて目標駐車エリアＳ１〜Ｓ３が設定される構成であれば、車両２５の入れ替えを行うことなく車両２５を出入りさせることが可能となる。例えば、出庫予定が最初の車両２５が今回の駐車車両２５ｂとして最初に入庫される場合、その車両２５ａの入庫に際して第１目標駐車エリアＳ１が設定されれば、各目標駐車エリアＳ１〜Ｓ３に車両２５が駐車された後でも、車両２５の入れ替えを行うことなく第１目標駐車エリアＳ１から車両２５を最初に出庫させることができる。この場合、各車両２５の位置に関する相互関係だけでなく、各車両２５の入出庫に関する相互関係も加味して目標駐車エリアＳが設定されることになり、ユーザにとっての利便性をより一層向上させることができる。
【００６９】
・上記実施形態において、ライン表示部３５ａを、車両進退方向に延びるようにして設け、２つのライン表示部３５ａの間にて目標駐車エリアＳを教示したが、ライン表示部３５ａを車両進退方向と交差する方向に延びるようにして設け、その長さにより目標駐車エリアＳを教示してもよい。例えば、図５に示すように、各目標駐車エリアＳ４〜Ｓ６に対してそれぞれライン表示部３５ａが車両進入側に設けられている構成とする。また、目標駐車エリアＳにおけるガレージ床面３６の略全体にライン表示部３５ａが設けられていてもよい。これらの場合でも、ライン表示部３５ａが点灯状態又は消灯状態に切り替えられることで、目標駐車エリアＳを明確に教示することができる。
【００７０】
・上記実施形態では、目標駐車エリアＳが表示される構成として、ライン表示部３５ａが点灯される構成としたが、ライン表示部３５ａの点灯色が変化する構成としてもよい。また、ガレージ床面３６に埋め込まれた画像パネルにて画像表示が行われる構成としてもよく、ガレージ床面３６と識別可能な色により着色された着色部が移動可能な構成としてもよい。さらに、出没可能な突出部が目標駐車エリアＳの境界部又は境界付近にて突出される構成としてもよい。いずれの構成によっても、目標駐車エリアＳを教示することが可能となる。
【００７１】
・上記実施形態において、目標駐車エリアＳは、運転者等に対して表示される構成としたが、車両２５に対して教示される構成としてもよい。例えば、駐車支援機能が搭載された車両２５が今回の駐車車両２５ｂである場合、ガレージコントローラ３１からＥＴＣ車載機５２に対して目標駐車エリアＳを示す信号が出力される構成とする。この場合でも、今回の駐車車両２５ｂをガレージ１５における適切な位置に駐車させることが可能となる。
【００７２】
・上記実施形態では、目標駐車エリアＳの大きさが、車両２５の大きさに基づいて設定される構成としたが、車両２５の車種や用途に基づいて設定される構成としてもよい。例えば、ガレージコントローラ３１により、車両側情報としてＥＴＣ情報に含まれている車両種別情報に基づいて、車椅子の乗降を可能とした福祉車両が今回の駐車車両２５ｂである旨の情報が取得された場合、車椅子の乗降が可能な大きさのスペースを車両２５の周囲に確保するように目標駐車エリアＳが設定される構成とする。これにより、車両２５の用途に合わせた位置にその車両２５を駐車させることが可能となり、ユーザにとっての利便性をより一層向上させることができる。
【００７３】
・ガレージ１５に、車両２５との電気的に接続されることで送電及び受電が可能となる電力装置が設置されていてもよい。例えば、ガレージコントローラ３１により、車両側情報に基づいて今回の駐車車両２５ｂが電気自動車やハイブリッド自動車である旨の情報が取得された場合、その駐車車両２５ｂと電力装置との接続が可能な目標駐車エリアＳが設定される構成とする。この場合、駐車済み車両２５ａが支障となって駐車車両２５ｂと電力装置とを接続することができないといった不都合の発生を抑制することができるため、電気自動車やハイブリッド自動車の車載バッテリに対する充電等を確実に行わせることが可能となる。
【００７４】
・車両側情報としてのＥＴＣ情報には、ユーザの個人情報がユーザ情報として含まれていてもよい。例えば、車両運転に対するユーザの熟練度や年齢がユーザ情報としてＥＴＣ情報に含まれていれば、今回の駐車車両２５ｂが運転初心者や高齢者により運転されている場合に、運転操作が比較的容易となる位置（例えば、ガレージ内スペースにおける端部等）に目標駐車エリアＳを設定することが可能となる。これにより、ユーザにとっての利便性をより一層向上させることができる。
【００７５】
・上記実施形態では、目標駐車エリアＳが、ガレージ側情報及び車両側情報に基づいて設定される構成としたが、いずれか一方の情報に基づいて設定される構成としてもよい。例えば、常に同一の車両２５が今回の駐車車両２５ｂとしてガレージ１５に入庫される場合、ガレージ側情報だけに基づいて目標駐車エリアＳが設定される構成であっても、ガレージ１５における適切な位置に車両２５を駐車させることが可能となる。また、常にガレージ１５側の状況が同一である場合、車両側情報だけに基づいて目標駐車エリアＳが設定される構成であっても、ガレージ１５における適切な位置に車両２５を駐車させることが可能となる。
【００７６】
・上記実施形態では、車両２５の入出庫がシャッタ装置４１により規制される構成としたが、輪止め部により規制される構成としてもよい。例えば、図６に示すように、建物１０から独立して設けられた駐車場７１に、床面に対して出没可能な輪止め部７２が設けられている構成とする。なお、駐車場７１は、建物１０から独立して設けられた車庫であってもよい。
【００７７】
輪止め部７２は、突出状態及び没入状態に移行可能な構成となっており、突出状態に移行することで車両２５の入庫又は出庫を規制し、没入状態に移行することで車両２５の入庫又は出庫を許可するようになっている。また、輪止め部７２は、ガレージコントローラ３１に接続されており、ガレージコントローラ３１により輪止め部７２の出没制御が行われるようになっている。したがって、この場合、駐車場７１に対する非登録車両の勝手な進入を規制することができるとともに、駐車されている車両２５が勝手に移動されることを規制でき、ひいては、車両２５の防犯効果などを期待することができる。
【００７８】
・ガレージ側情報又は車両側情報がホームサーバ等から取得される構成としてもよい。例えば、ホームサーバとして、ＣＰＵや各種メモリ等からなるマイクロコンピュータを有するパソコン７５が設けられており、パソコン７５にはインターネット７６が接続されている構成とする。この場合、ガレージコントローラ３１は、車両２５に関する詳細な情報を車両側情報としてインターネット７６から取得することが可能となるため、車両２５に対する目標駐車エリアＳの設定をより一層きめ細かく行うことができる。
【００７９】
・ガレージ側情報又は車両側情報が通信衛星から取得される構成としてもよい。例えば、ＥＴＣ車載機５２と通信衛星７７との通信が可能な構成とする。この場合、車両２５に関する詳細な情報を車両側情報として通信衛星７７から取得することが可能となるため、車両２５に対する目標駐車エリアＳの設定をきめ細かく行うことができる。
【００８０】
・目標駐車エリアＳに駐車されている車両２５に対して駐車料金が設定される構成としてもよい。例えば、ガレージコントローラ３１により、車両側情報に基づいて、車両２５の種類や大きさ、駐車時間などに応じて駐車料金が設定される構成とする。したがって、ガレージ１５が有料駐車場として利用される場合でも、入庫管理とともに駐車料金管理を容易に行うことが可能となる。また、ガレージ内スペースにおける適した位置に車両２５を駐車させることができるため、ガレージ内スペースを有効に活用することでより多くの車両２５をガレージ１５に駐車させることができる。したがって、有料駐車場としてのガレージ１５を効率よく運用することができる。
【００８１】
・上記実施形態では、車両２５に、通信手段としてＥＴＣ車載機５２が搭載されている構成としたが、他の通信手段が搭載されていてもよい。要は、車両２５側とガレージ１５側との無線通信が可能な構成であればよい。
【図面の簡単な説明】
【００８２】
【図１】本実施形態における建物の一階部分における構成の一部を示す平面図。
【図２】入庫管理システムの概略を示す全体構成図。
【図３】目標駐車エリアの可変設定機能について説明する説明図。
【図４】目標駐車エリアの可変設定機能について説明する説明図。
【図５】別の目標駐車エリアの一例を示す図。
【図６】別の入庫管理システムの概略を示す全体構成図。
【符号の説明】
【００８３】
１０…建物、１５…ガレージ、２５…車両、２５ａ…駐車済み車両、２５ｂ…今回の駐車車両、３１…ガレージコントローラ、３２…車両検出センサ、３５…表示装置、３８…ガレージ通信装置、４１…シャッタ装置、５２…ＥＴＣ車載機、７１…駐車場、７２…輪止め部、Ｓ…目標駐車エリア。
【図１】
0004974237.tif 000002
【図２】
0004974237.tif 000003
【図３】
0004974237.tif 000004
【図４】
0004974237.tif 000005
【図５】
0004974237.tif 000006
【図６】
0004974237.tif 000007